(57)【要約】【課題】プロジェクターの交換用のランプを容易に提供できるようにする。【解決手段】制御部１００は、累積点灯時間が記憶部１０２に記憶されている交換時間を超えた場合、累積点灯時間が交換時間を超えたことを通知するメッセージを送信する。このメッセージを受信した制御部２００は、ランプの交換をユーザーに促すメッセージが表示されるように表示部２０３を制御する。また、制御部２００は、収納部２１０の電子錠を開錠する。電子錠が開錠されると、ユーザーは、収納部２１０の扉を開けることができ、交換用のランプを収納部２１０から取り出すことができる。制御部２００は、累積点灯時間が交換時間を超えたことを通知するメッセージを取得するまでは、電子錠を開錠しないため、ユーザーは、累積点灯時間が交換時間を超えるまでは、ランプを収納部２１０から取り出すことができない。【選択図】図２
2015230318.tif 000002
【特許請求の範囲】
【請求項１】
プロジェクターと通信を行う通信部と、
前記プロジェクターの操作に用いられる操作部と、
表示部と、
前記通信部が前記プロジェクターから受信した情報に基づいて、前記プロジェクターのランプの交換を促す情報を前記表示部に表示させる制御部と、
前記プロジェクターの交換用ランプを収納する空間を有する収納部と、
を有する操作装置。
【請求項２】
映像信号が入力され、入力された映像信号を前記プロジェクターへ供給する端子部を有する請求項１に記載の操作装置。
【請求項３】
前記収納部は、前記空間内における前記交換用ランプの有無を検知するセンサーを有し、
前記制御部は、前記センサーの検知結果に応じて、前記交換用ランプの有無を示す情報を前記表示部に表示させる
請求項１または請求項２に記載の操作装置。
【請求項４】
前記収納部は、開口部と、前記開口部を開閉する扉と、閉められた前記扉を固定する電子錠を有する
請求項１から請求項３のいずれか一項に記載の操作装置。
【請求項５】
前記制御部は、前記通信部が前記プロジェクターから受信した情報に基づいて前記電子錠を開錠する
請求項４に記載の操作装置。
【請求項６】
プロジェクターと、
前記プロジェクターと通信を行う通信部と、
前記プロジェクターの操作に用いられる操作部と、
表示部と、
前記通信部が前記プロジェクターから受信した情報に基づいて、前記プロジェクターのランプの交換を促す情報を前記表示部に表示させる制御部と、
前記プロジェクターの交換用ランプを収納する空間を有する収納部と、
を有する操作装置と、
を備える表示システム。
【発明の詳細な説明】
【技術分野】
【０００１】
本発明は、操作装置および表示システムに関する。
【背景技術】
【０００２】
プロジェクターの光源となるランプの交換に係る発明として、例えば、特許文献１に開示された発明がある。特許文献１の発明は、光源ランプの累積使用時間を計時し、交換予定時間から累積使用時間を減算することにより、光源ランプの交換予定時間に対する使用の残時間を求め、求めた残時間に応じて光源ランプの交換時期を表示部に表示する。特許文献１の発明によれば、ユーザーは、光源ランプを交換すべきか容易に判断することができる。
【先行技術文献】
【特許文献】
【０００３】
【特許文献１】特開２００２−２８７２４３号公報
【発明の概要】
【発明が解決しようとする課題】
【０００４】
プロジェクターでは光源のランプが切れると映像を投写できなくなるため、交換用のランプを準備しておくが、準備した交換用のランプは、交換のときまでは必要がないため、プロジェクターの設置場所とは別な場所に保管されることとなる。このように、プロジェクターの設置場所とは別な場所に交換用のランプが保管されると、ランプの寿命は数千時間ほどであるため、長期に渡ってプロジェクターとは別な場所に保管されることとなる。そして、このように長期に渡ってプロジェクターとは別な場所に保管されると、プロジェクターの管理者が保存場所を失念してしまい、交換が必要となったときにすぐに準備できなくなることが生じ得る。
【０００５】
本発明は、上述した事情に鑑みてなされたものであり、その目的の一つは、プロジェクターの交換用のランプを容易に提供できるようにすることにある。
【課題を解決するための手段】
【０００６】
本発明は、プロジェクターと通信を行う通信部と、前記プロジェクターの操作に用いられる操作部と、表示部と、前記通信部が前記プロジェクターから受信した情報に基づいて、前記プロジェクターのランプの交換を促す情報を前記表示部に表示させる制御部と、前記プロジェクターの交換用ランプを収納する空間を有する収納部と、を有する操作装置を提供する。
本発明によれば、プロジェクターの交換用のランプをユーザーへ容易に提供することができる。
【０００７】
本発明においては、映像信号が入力され、入力された映像信号を前記プロジェクターへ供給する端子部を有する構成としてもよい。
この構成によれば、操作装置から映像信号をプロジェクターへ供給することができる。
【０００８】
また、本発明においては、前記収納部は、前記空間内における前記交換用ランプの有無を検知するセンサーを有し、前記制御部は、前記センサーの検知結果に応じて、前記交換用ランプの有無を示す情報を前記表示部に表示させる構成としてもよい。
この構成によれば、収納部における交換用ランプの有無をユーザーに知らせることができる。
【０００９】
また、本発明においては、前記収納部は、開口部と、前記開口部を開閉する扉と、閉められた前記扉を固定する電子錠を有する構成としてもよい。
この構成によれば、交換用ランプの盗難を防ぐことができる。
【００１０】
また、本発明においては、前記制御部は、前記通信部が前記プロジェクターから受信した情報に基づいて前記電子錠を開錠する構成としてもよい。
この構成によれば、ランプの交換を要しないときには交換用ランプの盗難を防ぎ、ランプの交換を要するときには収納部から交換用ランプを取り出すことができる。
【００１１】
また、本発明は、プロジェクターと、前記プロジェクターと通信を行う通信部と、前記プロジェクターの操作に用いられる操作部と、表示部と、前記通信部が前記プロジェクターから受信した情報に基づいて、前記プロジェクターのランプの交換を促す情報を前記表示部に表示させる制御部と、前記プロジェクターの交換用ランプを収納する空間を有する収納部と、を有する操作装置と、を備える表示システムを提供する。
本発明によれば、プロジェクターの交換用のランプをユーザーへ容易に提供することができる。
【図面の簡単な説明】
【００１２】
【図１】本発明の一実施形態に係る表示システムＰＳを構成する装置を示した図。
【図２】プロジェクター１とインターフェースボックス２のハードウェア構成図。
【図３】収納部２１０の扉２１０Ａ部分の拡大図。
【図４】実施形態の動作例を説明するためのシーケンス図。
【図５】表示部２０３に表示される画面の一例を示した図。
【図６】実施形態の動作例を説明するためのシーケンス図。
【図７】表示部２０３に表示される画面の一例を示した図。
【発明を実施するための形態】
【００１３】
［実施形態］
図１は、本発明の一実施形態に係る表示システムＰＳを構成する装置を示した図である。表示システムＰＳは、プロジェクター１とインターフェースボックス２を有する。インターフェースボックス２は、プロジェクター１を操作し、映像信号をプロジェクター１へ供給する操作装置である。プロジェクター１とインターフェースボックス２は、ケーブルＣＡで接続されている。プロジェクター１は、ケーブルＣＡから入力された映像信号により示される画像をスクリーンＳＣに投写する表示装置である。プロジェクター１は、フロントプロジェクション型で短焦点のプロジェクターであり、図１の例では、プロジェクター１は、壁面に設けられた金具により、スクリーンＳＣの上部に設置されている。また、インターフェースボックス２は、例えば、ユーザーの身長より低い位置であり、ユーザーが容易に操作できる位置に設置される。
【００１４】
図２は、プロジェクター１とインターフェースボックス２のハードウェア構成を示した図である。まず、プロジェクター１の構成について説明する。操作部１０１は、プロジェクター１を操作するための複数のボタンを備えている。操作されたボタンに応じて制御部１００が各部を制御することにより、スクリーンＳＣに投写される画像の調整や、プロジェクター１が有する各種機能の設定などが行われる。選択部１１２は、映像信号の入力端子を複数有しており、インターフェースボックス２からケーブルＣＡを介して供給される映像信号を取得する。選択部１１２は、制御部１００により制御されて複数の入力端子のいずれかを選択し、選択した入力端子に供給されている映像信号を画像処理部１１１へ供給する。通信部１０８は、ケーブルＣＡでインターフェースボックス２に接続されており、ケーブルＣＡを介して各種情報をインターフェースボックス２とやり取りし、インターフェースボックス２と通信を行う通信インターフェースとして機能する。
【００１５】
ＯＳＤ（On Screen Display）部１１０は、制御部１００により制御され、プロジェクター１の各種機能の設定を行うためのメニュー画像や、プロジェクター１が表示する画像の画質を調整するためのメニュー画像、プロジェクター１の状態を示す文字列の画像などを生成し、生成した画像を表すＯＳＤ信号を画像処理部１１１へ供給する。
【００１６】
画像処理部１１１は、選択部１１２から供給される映像信号やＯＳＤ部１１０から供給されるＯＳＤ信号を取得する。画像処理部１１１は、投写する画像の明るさやコントラスト、色合いの調整など各種の画像処理機能を備えており、供給された映像信号に対して各種の画像処理を施す。また、画像処理部１１１は、映像信号にＯＳＤ信号を重畳して得られた映像信号を投写部１１４へ供給する。
【００１７】
投写部１１４は、光源部１１４Ａ、ライトバルブ１１４Ｂ、駆動部１１４Ｃ及び光学部１１４Ｄを有している。光源部１１４Ａは、光を発するランプを有しており、ランプが発した光は、図示省略した複数のダイクロイックミラーやミラーによって赤、緑、青の光に分光され、分光された赤、緑、青の光はライトバルブ１１４Ｂに導かれる。
【００１８】
駆動部１１４Ｃは、画像処理部１１１から供給される映像信号を取得する。駆動部１１４Ｃに供給される映像信号は、投写する画像における赤の成分の階調を表す階調データ、投写する画像における緑の成分の階調を表す階調データ及び投写する画像における青の成分の階調を表す階調データを有する。駆動部１１４Ｃは、赤、緑、青の各色の階調データを抽出し、抽出した各色の階調データに基づいてライトバルブ１１４Ｂを駆動する。
【００１９】
ライトバルブ１１４Ｂは、赤の光が入射する液晶ライトバルブ、緑の光が入射する液晶ライトバルブ及び青の光が入射する液晶ライトバルブを有している。液晶ライトバルブは、透過型の液晶パネルであり、複数行複数列でマトリックス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動部１１４Ｃによって各画素が制御されて画素の透過率が変化する。画素の透過率が制御されることにより、液晶ライトバルブを透過した各色の光は、各階調データに対応した映像となる。液晶ライトバルブを透過した赤、緑、青の光の映像は、図示省略したダイクロイックプリズムにより合成されて光学部１１４Ｄに入射する。光学部１１４Ｄは、入射した映像を拡大するレンズ群を有しており、入射した映像を拡大してスクリーンＳＣに投写する。
【００２０】
記憶部１０２は、不揮発性メモリーであり、各種データを記憶する。本実施形態においては、記憶部１０２は、光源部１１４Ａのランプの累積点灯時間や、ランプの交換をユーザーに促す時間（以下、交換時間とする）などを記憶する。
制御部１００は、ＣＰＵ（Central Processing Unit）、ＲＯＭ（Read Only Memory）及びＲＡＭ（Random Access Memory）を備えたマイクロコンピューターである。ＲＯＭに記憶されているプログラムをＣＰＵが実行すると、プロジェクター１においては、入力された映像信号により示される画像をスクリーンＳＣに投写する機能や、投写する画像の画質を調整する機能、光源部１１４Ａのランプの累積点灯時間を計る機能、ランプの交換をユーザーに促す機能などの各種機能が実現する。
【００２１】
次に、インターフェースボックス２のハードウェア構成について説明する。端子部２０２は、映像信号の入力端子を複数有している。各入力端子は、選択部１１２の複数の入力端子のいずれかにケーブルＣＡを介して接続され、端子部２０２の入力端子に入力された映像信号は、ケーブルＣＡを介して選択部１１２の入力端子へ供給される。通信部２０８は、ケーブルＣＡで通信部１０８に接続されており、プロジェクター１と通信を行う通信インターフェースとして機能する。表示部２０３は、液晶ディスプレイ等を有しており、プロジェクター１の状態、ランプの累積点灯時間などの各種メッセージを表示する。
【００２２】
収納部２１０は、光源部１１４Ａの交換用のランプを収納する空間と、制御部２００により制御される電子錠２１０Ｄを有している。また、収納部２１０は、図３に示したように、交換用のランプを内部の空間に出し入れするための開口部２１０Ｂと、開口部２１０Ｂを開閉する扉２１０Ａを有する。収納部２１０は、収納部２１０の扉２１０Ａを電子錠２１０Ｄでロックする。また、収納部２１０は、収納部２１０の空間にランプがあるか否かを検知するセンサー２１０Ｃを有している。このセンサー２１０Ｃは、ランプの有無を示す信号を制御部２００へ供給する。
操作部２０４は、プロジェクター１を操作するための複数のボタンを備えている。操作されたボタンに応じて制御部２００が通信部２０８を制御し、プロジェクター１と通信を行うことにより、プロジェクター１を操作することができる。
【００２３】
制御部２００は、ＣＰＵ、ＲＯＭ及びＲＡＭを備えたマイクロコンピューターである。ＲＯＭに記憶されているプログラムをＣＰＵが実行すると、インターフェースボックス２においては、光源部１１４Ａのランプに関する情報を表示する機能や、収納部２１０に関する情報を表示する機能、収納部２１０の電子錠２１０Ｄを制御する機能など、各種機能が実現する。
【００２４】
（実施形態の動作例）
次に本実施形態の動作例について、図４，５を用いて説明する。図４は、プロジェクター１とインターフェースボックス２とのやり取りを示したシーケンス図であり、図５は、表示部２０３に表示される画面の一例を示した図である。
【００２５】
まず、ユーザーが、プロジェクター１の電源をＯＮにする操作を操作部２０４において行うと（ステップＳ１）、制御部２００は、通信部２０８を制御し、電源をＯＮにするコマンドをプロジェクター１へ送信する（ステップＳ２）。
【００２６】
このコマンドが通信部１０８で受信されると、制御部１００は、光源部１１４Ａのランプを点灯させ（ステップＳ３）、ランプの点灯時間の計時を開始する（ステップＳ４）。プロジェクター１は、ランプを点灯させると、入力された映像信号により示される画像をスクリーンＳＣに投写する。制御部１００は、光源部１１４Ａのランプが点灯している間は、ランプの点灯時間の計時を続ける。
【００２７】
次にユーザーが、プロジェクター１の電源をＯＦＦにする操作を操作部２０４において行うと（ステップＳ５）、制御部２００は、通信部２０８を制御し、電源をＯＦＦにするコマンドをプロジェクター１へ送信する（ステップＳ６）。
【００２８】
このコマンドが通信部１０８で受信されると、制御部１００は、光源部１１４Ａのランプを消灯させ（ステップＳ７）、ランプの点灯時間の計時を終了する（ステップＳ８）。制御部１００は、点灯時間の計時を終了すると、計時した時間と、記憶部１０２に記憶されている累積点灯時間（ランプの使用を始めてからの累積の点灯時間）とを加算し、加算結果を新たに累積点灯時間として記憶部１０２に記憶させる（ステップＳ９）。
【００２９】
次にユーザーが、累積点灯時間を表示させる操作を操作部２０４において行うと（ステップＳ１０）、制御部２００は、通信部２０８を制御し、累積点灯時間を要求するコマンドを送信する（ステップＳ１１）。累積点灯時間を要求するコマンドが通信部１０８で受信されると、制御部１００は、記憶部１０２に記憶されている累積点灯時間を取得し、取得した累積点灯時間を、通信部１０８を制御して送信する（ステップＳ１２）。
プロジェクター１から送信された累積点灯時間が通信部２０８で受信されると、制御部２００は、累積点灯時間が表示されるように表示部２０３を制御する（ステップＳ１３）。これにより、例えば、図５に示したように、ランプの累積点灯時間が表示部２０３において表示され、ユーザーは、ランプの累積点灯時間を知ることができる。
なお、累積点灯時間を表示させる操作（ステップＳ１０）は、プロジェクター１の電源がＯＮのときに行われてもよい。この場合、制御部１００は、計時中の点灯時間と累積点灯時間とを加算した時間を現在の累積点灯時間として送信する。なお、交換用のランプが収納部２１０に収納されていない場合に、累積点灯時間とともにメッセージを表示してもよい。
【００３０】
次に、光源部１１４Ａのランプの累積点灯時間が予め定められた交換時間に達したときの動作例について、図６，７を用いて説明する。図６は、プロジェクター１とインターフェースボックス２とのやり取りを示したシーケンス図であり、図７は、表示部２０３に表示される画面の一例を示した図である。
【００３１】
制御部１００は、累積点灯時間が記憶部１０２に記憶されている交換時間を超えた場合、通信部１０８を制御し、累積点灯時間が交換時間を超えたことを通知するメッセージを送信する（ステップＳ２０）。このメッセージが通信部２０８で受信されると、制御部２００は、ランプの交換をユーザーに促すメッセージが表示されるように表示部２０３を制御する。なお、制御部１００は、プロジェクター１が電源ＯＮ中の場合は、計時中の点灯時間を定期的に監視し、点灯時間と記憶部１０２に記憶される累積点灯時間との加算値を実際の累積点灯時間として、交換時間と比較する。
【００３２】
表示部２０３の制御について説明する。まず制御部２００は、収納部２１０のセンサー２１０Ｃから供給される信号に基づいて、収納部２１０の空間にランプがあるか否かを判断する（ステップＳ２１）。収納部２１０のセンサー２１０Ｃから供給された信号が、収納部２１０にランプがないことを示す信号である場合（ステップＳ２１でＮＯ）、制御部２００は、例えば、図７の（ａ）に示したように、ランプの交換を促し、交換用のランプを準備するように促す第１メッセージが表示されるように表示部２０３を制御する（ステップＳ２２）。
【００３３】
一方、収納部２１０のセンサー２１０Ｃから供給された信号が、収納部２１０にランプがあることを示す信号である場合（ステップＳ２１でＹＥＳ）、制御部２００は、例えば、図７の（ｂ）に示したように、収納部２１０のランプに交換するように促す第２メッセージが表示されるように表示部２０３を制御する（ステップＳ２３）。また、制御部２００は、収納部２１０の電子錠２１０Ｄを開錠する（ステップＳ２４）。電子錠２１０Ｄが開錠されると、ユーザーは、扉２１０Ａを開けることができ、交換用のランプを収納部２１０から取り出すことができる。なお、制御部２００は、累積点灯時間が交換時間を超えたことを通知するメッセージを取得するまでは、電子錠２１０Ｄを開錠しないため、ユーザーは、累積点灯時間が交換時間を超えるまでは、ランプを収納部２１０から取り出すことができない。
【００３４】
以上説明したように本実施形態によれば、光源部１１４Ａのランプの交換を促すメッセージがユーザーに操作されるインターフェースボックス２で表示されるため、ユーザーは、光源部１１４Ａのランプの交換の時期を容易に知ることができる。また、本実施形態においては、交換用のランプが、ユーザーに操作されるインターフェースボックス２に収納されているため、交換が必要なときにはユーザーに容易にランプを提供することができる。また、本実施形態においては、ランプの交換が必要となるまでは、収納部２１０の電子錠２１０Ｄが開錠されないため、交換用のランプが盗まれるのを防ぐことができる。
【００３５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００３６】
上述した実施形態においては、プロジェクター１とインターフェースボックス２は、ケーブルＣＡを介して通信を行っているが、有線ではなく無線で通信を行う構成であってもよい。また、プロジェクター１とインターフェースボックス２が無線で通信を行う構成においては、端子部２０２に入力された映像信号を無線でプロジェクター１へ送信し、プロジェクター１では、送信された映像信号を受信し、受信した映像信号を画像処理部１１１へ供給する構成であってもよい。
【００３７】
上述した実施形態においては、インターフェースボックス２は、端子部２０２を有する構成となっているが、インターフェースボックス２が端子部２０２を有しない構成であってもよい。インターフェースボックス２が、端子部２０２を有しない構成の場合、映像信号が直接選択部１１２の端子へ入力される。
【００３８】
上述した実施形態においては、収納部２１０は、電子錠２１０Ｄを有する構成となっているが、収納部２１０が電子錠２１０Ｄを有しない構成であってもよい。この構成の場合、ユーザーは、扉２１０Ａを自由に開けることができる。
【００３９】
上述した実施形態においては、収納部２１０は、収納部２１０の空間にランプがあるか否かを検知するセンサー２１０Ｃを有しているが、収納部２１０は、センサー２１０Ｃを有しない構成であってもよい。この構成の場合、累積点灯時間が交換時間を超えたことを通知するメッセージを受信したインターフェースボックス２は、図７の（ｂ）のメッセージを表示するようにしてもよい。
【００４０】
本発明においては、制御部２００をインターフェースボックス２に設けず、プロジェクター１の制御部１００が、表示部２０３や収納部２１０、操作部２０４と接続され、表示部２０３や収納部２１０を制御する構成であってもよい。
【００４１】
上述した実施形態においては、光源部１１４Ａのランプが切れたことを検知するセンサーを投写部１１４に設けるようにしてもよい。また、このセンサーで光源部１１４Ａのランプが切れたことを検知した場合、ランプの交換を促すメッセージを制御部１００がインターフェースボックス２へ送信し、このメッセージを受信した制御部２００は、例えば、図７の（ｂ）のメッセージが表示されるように表示部２０３を制御するようにしてもよい。
【００４２】
上述した実施形態においては、一つのインターフェースボックス２に対して一つのプロジェクター１が接続されているが、一つのインターフェースボックス２に対して複数のプロジェクター１を接続し、一つのインターフェースボックス２で複数のプロジェクター１を制御できるようにしてもよい。
【符号の説明】
【００４３】
１…プロジェクター、２…インターフェースボックス、１００…制御部、１０１…操作部、１０２…記憶部、１０８…通信部、１１０…ＯＳＤ部、１１１…画像処理部、１１２…選択部、１１４…投写部、１１４Ａ…光源部、１１４Ｂ…ライトバルブ、１１４Ｃ…駆動部、１１４Ｄ…光学部、２００…制御部、２０２…端子部、２０３…表示部、２０４…操作部、２０８…通信部、２１０…収納部、２１０Ａ…扉、２１０Ｂ…開口部、２１０Ｃ…センサー、２１０Ｄ…電子錠、ＰＳ…表示システム、ＣＡ…ケーブル、ＳＣ…スクリーン
【図１】
2015230318.tif 000003
【図２】
2015230318.tif 000004
【図３】
2015230318.tif 000005
【図４】
2015230318.tif 000006
【図５】
2015230318.tif 000007
【図６】
2015230318.tif 000008
【図７】
2015230318.tif 000009